(57)【要約】      （修正有）【課題】任意のイヤーカバーを選択して使用することができるヘッドホンを提供する。【解決手段】ヘッドホンは、第１ボーンフレーム収納溝１０２と第１ボーンフレーム１０１を備え、第１ボーンフレーム１０１は第１ボーンフレーム収納溝１０２中に設けられる、第１イヤーカバー１０と、第２ボーンフレーム収納溝１１２と第２ボーンフレーム１１１を備え、第２ボーンフレーム１１１は第２ボーンフレーム収納溝１１２中に設けられる、第２イヤーカバー１１と、第１ボーンフレーム１０１の自由端と第２ボーンフレーム１１１の自由端にそれぞれ設けられる、結合ユニット１２と、を含む。第１ボーンフレーム１０１、第２ボーンフレーム１１１と結合ユニット１２は、それぞれ第１イヤーカバー１０と第２イヤーカバー１１中に収納でき、ゆえに、ヘッドホンは体積を縮小できて収納と携帯に便利である。【選択図】図１
0003195862.tif 000002
【実用新案登録請求の範囲】
【請求項１】
ヘッドホンにおいて、
第１イヤーカバーであって、第１ボーンフレームを備え、該第１ボーンフレームは該第１イヤーカバー中に収納される、上記第１イヤーカバーと、
第２イヤーカバーであって、第２ボーンフレームを備え、該第２ボーンフレームは該第２イヤーカバー中に収納され、該第２ボーンフレームと該第１ボーンフレームは複数のスライドブロック弾性片或いはプラスチックスライドブロック弾性片で構成される、上記第２イヤーカバーと、
結合ユニットであって、該第１ボーンフレームの自由端と該第２ボーンフレームの自由端にそれぞれ設けられ、該結合ユニットは第１座と第２座を備え、該第１座は該第１ボーンフレームの自由端に設けられ、該第１座の一端に位置決めブロックを備え、該第１座はさらに固定孔を備え、該第２座は該第２ボーンフレームの自由端に設けられ、該第２座の、該位置決めブロックに対応するところに、位置決め溝が設けられ、該位置決めブロックは該位置決め溝中に組み合わされ、該第２座の該固定孔に対応する部分に穿孔が設けられ、固定部品が該穿孔に通され、並びに該固定孔に固定されるか、或いは該結合ユニットは面ファスナーとされ、該面ファスナーが該第１ボーンフレームの自由端と該第２ボーンフレームの自由端に設けられるか、或いは、該結合ユニットは雄形留め具と雌形留め具の組み合わせとされ、該雄形留め具と該雌形留め具はそれぞれ該第１ボーンフレームの自由端と該第２ボーンフレームの自由端に設けられる、上記結合ユニットと、
を含むことを特徴とする、ヘッドホン。
【考案の詳細な説明】
【技術分野】
【０００１】
本考案は一種のヘッドホンに係り、特にボーンフレームがイヤーカバーにおいて伸縮し、携帯に便利で、任意のそのうち一つのイヤーカバーを選択して使用することができるヘッドホンに関する。
【背景技術】
【０００２】
イヤホンは、媒体の発射する電気信号を受信し、さらにスピーカを利用して電気信号を人の耳が聞き取れる音波に変換するためのものである。既存のイヤホンは大きく内耳式とヘッドホン式の二種類に分けられる。
【０００３】
ヘッドホンは、二つのイヤーカバーを備え、各イヤーカバー中にスピーカと電気回路が設けられ、二つのイヤーカバーの間はボーンフレームにより連接される。
【０００４】
使用者がヘッドホンをその頭部に装着するとき、フレームは使用者のヘアスタイルを乱すことがあり、外見に気をつかう女性にとっては、それは受け入れられない使用状況である。
【０００５】
このほか、もともとヘッドホンは単一使用者に対して設計され、ゆえに使用者がヘッドホンを使用するとき、該ヘッドホンは別の使用者と共有はできず、なぜならフレームの連接により、ヘッドホンは二つに分けることができないためである。
【０００６】
さらに、既存のヘッドホンは成人の使用者のために設計され、児童の使用者のために設計されておらず、もし児童の使用者がヘッドホンを使用したければ、別にサイズが小さいヘッドホンを設計する必要があり、ゆえに、既存のヘッドホンは成人と児童が共同使用することはできない。
【０００７】
さらに、既存のヘッドホンはボーンフレームでイヤーカバーを連接したものとされ、その占有空間が大きく、ゆえに、携帯上不便である。
【０００８】
総合すると、既存のヘッドホンは使用或いは携帯上、いずれも改善すべき余地がある。
【考案の概要】
【考案が解決しようとする課題】
【０００９】
上述の欠点を鑑み、本考案の目的は、一種のヘッドホンを提供することにあり、それは単一イヤーカバー或いは同時に二つのイヤーカバーを使用することができ、並びに各イヤーカバーが伸縮ユニットを備え、該伸縮ユニットは使用者の頭形に合わせて、その長さを調整でき、これにより使用者の頭部のサイズにマッチさせられる。伸縮ユニットがイヤーカバー内部に縮入可能であるため、ヘッドホンの全体体積を縮減でき、ヘッドホンの収納と携帯に便利であるものとする。
【課題を解決するための手段】
【００１０】
上述の目的を達成するため、本考案の技術手段は、一種のヘッドホンを提供し、それは、
第１イヤーカバーであって、第１ボーンフレームを備え、該第１ボーンフレームは該第１イヤーカバー中に収納される、上記第１イヤーカバーと、
第２イヤーカバーであって、第２ボーンフレームを備え、該第２ボーンフレームは該第２イヤーカバー中に収納される、上記第１イヤーカバーと、
結合ユニットであって、該第１ボーンフレームの自由端と該第２ボーンフレームの自由端にそれぞれ設けられる、上記結合ユニットと、
を含む。
【考案の効果】
【００１１】
本考案の第１イヤーカバー或いは第２イヤーカバーはハンドヘルド方式で単独使用でき、ゆえに、本考案は使用時に、頭部装着式或いはハンドヘルド式の二種類の使用方式を選択でき、もしハンドヘルド式の使用方式であれば、使用者の髪形は第１ボーンフレーム或いは第２ボーンフレームによる影響を受けず、使用者の髪形の完全性を保持できる。
【００１２】
第１ボーンフレームと第２ボーンフレームは使用者の頭部のサイズに合わせて伸縮させられるため、本考案は各種の異なるサイズの頭部、たとえば、成人或いは児童の頭部に適用できる。
【００１３】
第１ボーンフレーム、第２ボーンフレームと結合ユニットはそれぞれ第１イヤーカバーと第２イヤーカバー中に収納でき、ゆえに本考案のヘッドホンは体積を縮小でき、収納と携帯に便利である。
【図面の簡単な説明】
【００１４】
【図１】本考案のヘッドホンの第１実施例の表示図である。
【図２】結合ユニットの第１実施例の断面図である。
【図３】結合ユニットの第２実施例の断面図である。
【図４】本考案のヘッドホンの第３実施例の表示図である。
【考案を実施するための形態】
【００１５】
以下に特定の具体的実施例により、本考案の実施方式を説明し、当業者が本考案のその他の長所と作用効果を容易に了解できるようにする。以下に具体的に本考案のヘッドホンを収納時に、二つのイヤーカバーに分割し、容易に携帯できることについて説明する。
【００１６】
図１に示される、本考案のヘッドホンの第１実施例を参照されたい。それは、第１イヤーカバー１０、第２イヤーカバー１１及び結合ユニット１２を含む。
【００１７】
第１イヤーカバー１０は第１ケーシング１００と第１ボーンフレーム１０１を備える。第１ケーシング１００は第１ボーンフレーム収納溝１０２を備える。第１ケーシング１００の内部に第１スピーカ１０３を備え、該第１スピーカ１０３は導線（図示せず）に電気的に接続され、該導線は第１ケーシング１００の外部へと延伸され、並びにメディアプレイヤーに電気的に接続され、これにより第１スピーカ１０３が音波を再生できるものとされる。第１ケーシング１００はさらに第１共有ジャック１０４を備え、該第１共有ジャック１０４は第１スピーカ１０３に電気的に接続される。
【００１８】
第１ボーンフレーム１０１は第１スライドブロック弾性片１０１０、第２スライドブロック弾性片１０１１と第３スライドブロック弾性片１０１２を備える。第１スライドブロック弾性片１０１０は第２スライドブロック弾性片１０１１中に収納され、第２スライドブロック弾性片１０１１は第３スライドブロック弾性片１０１２中に収納される。第１ボーンフレーム１０１は第１イヤーカバー１０中に収納される。たとえば、第１ボーンフレーム１０１は第１ボーンフレーム収納溝１０２中に収納される。
【００１９】
第２イヤーカバー１１は第２ケーシング１１０と第２ボーンフレーム１１１を備える。第２ケーシング１１０は第２ボーンフレーム収納溝１１２を備える。第２ケーシング１１０の内部に第２スピーカ１１３を備え、該第２スピーカ１１３は導線（図示せず）に電気的に接続され、該導線は第２ケーシング１１０の外部へと延伸されている。第２ケーシング１１０はさらに第２共有ジャック１１４を備え、該第２共有ジャック１１４は第２スピーカ１１３に電気的に接続される。
【００２０】
第２ボーンフレーム１１１は第１スライドブロック弾性片１１１０、第２スライドブロック弾性片１１１１と第３スライドブロック弾性片１１１２を備える。第１スライドブロック弾性片１１１０は第２スライドブロック弾性片１１１１中に収納され、第２スライドブロック弾性片１１１１は第３スライドブロック弾性片１１１２中に収納される。第２ボーンフレーム１１１は第２イヤーカバー１１中に収納される。たとえば、第２ボーンフレーム１１１は第２ボーンフレーム収納溝１１２中に収納される。
【００２１】
複数の弾性片で構成されることで、第２ボーンフレーム１１１は第２ボーンフレーム収納溝１１２中に収容される。
【００２２】
図２も合わせて参照されたい。結合ユニット１２は第１座１２０と第２座１２１を備えている。第１座１２０は第１ボーンフレーム１０１の自由端に設けられる。第１座１２０の一端には位置決めブロック１２００が設けられ、第１座１２０はさらに固定孔１２０１を備えている。
【００２３】
第２座１２１は第２ボーンフレーム１１１の自由端に設けられる。第２座１２１の位置決めブロック１２００に対応する位置には位置決め溝１２１０を備える。第２座１２１の固定孔１２０１に対応する位置に穿孔１２１１を備える。固定部品１２１２が穿孔１２１１をとおり並びに固定孔１２０１に固定されることで、第１座１２０と第２座１２１が結合され、並びに第１ボーンフレーム１０１と第２ボーンフレーム１１１が連結される。たとえば、固定部品１２１２はボルトとされ、固定孔１２０１はネジ孔とされ得る。
【００２４】
さらに図１を再度参照されたい。位置決めブロック１２００が位置決め溝１２１０中に位置することで、第１座１２０と第２座１２１が相互に位置決めされ、さらに固定部品１２１２を利用して、第１座１２０と第２座１２１が結合される。
【００２５】
結合された第１座１２０と第２座１２１はさらに第１イヤーカバー１０を第２イヤーカバー１１に連結させる。
【００２６】
もし成人の使用者が、本考案のヘッドホンを頭部に装着したいときは、第１ボーンフレーム１０１と第２ボーンフレーム１１１は全伸張の状態にあり、並びに第１ボーンフレーム１０１と第２ボーンフレーム１１１は弾性を備え、ゆえに、第１ボーンフレーム１０１と第２ボーンフレーム１１１は使用者の耳部に密着する。
【００２７】
以上述べたように、第１スピーカ１０３と第２スピーカ１１３は導線でメディアプレイヤーに電気的に接続され、該メディアプレイヤーは電気信号を第１スピーカ１０３と第２スピーカ１１３に提供し、これにより第１スピーカ１０３と第２スピーカ１１３に音波を発生させる。
【００２８】
もし、使用者の頭部のサイズが比較的小さければ、たとえば、児童の頭部サイズであれば、第１ボーンフレーム１０１と第２ボーンフレーム１１１は該頭部のサイズに合わせて収縮させられ、これにより本考案のヘッドホンは使用者の頭部のサイズにマッチさせられる。
【００２９】
もし使用者が本考案のヘッドホンを頭部に装着することで、髪形を乱したくない場合は、結合ユニット１２の結合状態を解除し、すなわち、第１座１２０と第２座１２１を相互に分離させる。固定部品１２１２は穿孔１２１１と固定孔１２０１より取り外される。
【００３０】
第１ボーンフレーム１０１と第１座１２０は第１ボーンフレーム収納溝１０２中に縮入させられる。第２ボーンフレーム１１１と第２座１２１は第２ボーンフレーム収納溝１１２に縮入させられる。
【００３１】
使用者は手で第１イヤーカバー１０或いは第２イヤーカバー１１を保持し、並びにその耳部に押し当てて、音波を聴取することができる。
【００３２】
使用者が聴いている音波を別の使用者と共有したい場合は、もう一つのイヤーカバーの導線を共有ジャック（第１共有ジャック１０４或いは第２共有ジャック１１４）中に挿入することにより、聴いている音波を別の使用者と共有することができる。
【００３３】
図３に示される、本考案のヘッドホンの第２実施例を参照されたい。本実施例中、第１イヤーカバーと第２イヤーカバーの構造は上述の第１実施例と同様であるため、これ以上は説明しない。
【００３４】
本実施例において、結合ユニット１２Ａは雄形留め具１２０Ａと雌形留め具１２１Ａの組み合わせとされる。該雄形留め具１２０Ａ或いは該雌形留め具１２１Ａは、第１ボーンフレーム１０１Ａの自由端に設けられる。該雌形留め具１２１Ａは第２ボーンフレーム１１１Ａの自由端に設けられる。
【００３５】
雄形留め具１２０Ａと雌形留め具１２１Ａが互いに係合するとき、第１イヤーカバー１０と第２イヤーカバーは相互に連結される。雄形留め具１２０Ａと雌形留め具１２１Ａが未係合のとき、第１イヤーカバーと第２イヤーカバーは互いに分離している。
【００３６】
図３に示される本考案のヘッドホンの第３実施例も参照されたい。本実施例中、第１イヤーカバー１０Ｂと第２イヤーカバー１１Ｂの構造は上述の第２実施例と同様であるため、それ以上は説明しない。
【００３７】
本実施例中、結合ユニット１２Ｂは面ファスナーとされる。該面ファスナーはそれぞれ第１ボーンフレーム１０１Ｂと第２ボーンフレーム１１１Ｂの自由端に設けられ、該面ファスナーの接合と未接合により、第１イヤーカバー１０Ｂと第２イヤーカバー１１Ｂの連結或いは第１イヤーカバー１０Ｂと第２イヤーカバー１１Ｂの分離の効果が達成される。
【００３８】
総合すると、本考案の第１ボーンフレームと第２ボーンフレームは、複数のスライドブロック弾性片或いはプラスチックスライドブロック弾性片で構成され、ゆえに、第１ボーンフレームと第２ボーンフレームは弾性を有し、複数のスライドブロック弾性片の設計は順に伸張或いは収縮でき、ゆえに、第１ボーンフレームと第２ボーンフレームが多段式の長さ調整機能を有している。
【００３９】
第１ボーンフレーム、第２ボーンフレームと結合ユニットは、それぞれ第１イヤーカバーと第２イヤーカバー中に収納可能で、ゆえに、本考案のヘッドホンは体積を縮小させて収納と携帯することができる。
【００４０】
このほか、第１イヤーカバーと第２イヤーカバーは互いに分離が可能で、ゆえに使用者はその一つを選択して使用することができ、第１イヤーカバーと第２イヤーカバーはそれぞれ共有ジャックを有し、該共有ジャックはもう一つのイヤホンと接続でき、これにより、使用者が聴いている音波、たとえば、音楽、講演或いは放送を共有でき、少なくとも二人が同様の音波を聴取できる。
【００４１】
さらに、第１イヤーカバー或いは第２イヤーカバーはハンドヘルドでき、並びに耳部に押し当てて使用でき、ゆえに、本考案は使用時に、頭部に装着するかハンドヘルドするかの二種類の方式を選択でき、ハンドヘルド式を選択するときは第１ボーンフレーム或いは第２ボーンフレームはそれぞれ第１ボーンフレーム収納溝或いは第２ボーンフレーム収納溝中に収納され、ゆえにハンドヘルド式で聴取するときに、ボーンフレームによる干渉を受けることがない。
【００４２】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００４３】
１０  第１イヤーカバー
１００  第１ケーシング
１０１  第１ボーンフレーム
１０１０  第１スライドブロック弾性片
１０１１  第２スライドブロック弾性片
１０１２  第３スライドブロック弾性片
１０２  第１ボーンフレーム収納溝
１０３  第１スピーカ
１０４  第１共有ジャック
１１  第２イヤーカバー
１１０  第２ケーシング
１１１  第２ボーンフレーム
１１１０  第１スライドブロック弾性片
１１１１  第２スライドブロック弾性片
１１１２  第３スライドブロック弾性片
１１２  第２ボーンフレーム収納溝
１１３  第２スピーカ
１１４  第２共有ジャック
１２  結合ユニット
１２０  第１座
１２００  位置決めブロック
１２０１  固定孔
１２１  第２座
１２１０  位置決め溝
１２１１  穿孔
１２１２  固定部品
１０１Ａ  第１ボーンフレーム
１１１Ａ  第２ボーンフレーム
１２Ａ  結合ユニット
１２０Ａ  雄形留め具
１２１Ａ  雌形留め具
１０Ｂ  第１イヤーカバー
１０１Ｂ  第１ボーンフレーム
１１Ｂ  第２イヤーカバー
１１１Ｂ  第２ボーンフレーム
１２Ｂ  結合ユニット
【図１】
0003195862.tif 000003
【図２】
0003195862.tif 000004
【図３】
0003195862.tif 000005
【図４】
0003195862.tif 000006